(57)【要約】      （修正有）【課題】熟練技術を要せず、誰にでも炭のオブジェ等の装飾品が、最初の発想道理に且つ容易に制作でき、制作の途中の失敗が無く、素材の無駄による廃棄の量を減らし取り扱い時も転倒しがたく運搬時等に於いても破損することなく、美的感覚を備え、業者からも敬遠されない、炭を用いた装飾品を提供することである。【解決手段】炭３を用いて装飾品を構成するに於いて、該炭、又は造花、又はドライフラワー、又は生花を保持する構造物を一定の位置や角度又は向きに保持する保持体１と、前記保持体１に該炭、又は前記ドライフラワー、又は生花を保持する造形物を固着する、固着部材２からなり、該炭、又は前記造花、又は前記ドライフラワー、又は生花を保持する造形物の一端に前記固着部材２を設けて、前記保持体１に挿着することである。【選択図】        図１
2004175088.tif 000002
【特許請求の範囲】
【請求項１】
炭を用いて構成する装飾品の、該炭、又は造花、又はドライフラワー、又は生花を保持する造形物等を、一定の位置や角度に保持する保持体と、前記保持体に該炭、又は前記造花、又は前記ドライフラワー、又は前記生花を保持する造形物等を、設ける固着剤からなり、該炭、又は前記造花、又は前記ドライフラワー、又は前記生花を保持する造形物等の一端に、前記固着剤を設けて、前記保持体に挿入し硬化させて固着することを特徴とする、炭を用いた装飾品とその製造方法。
【請求項２】
保持体の面に固着剤を設け、前記固着部材の面に装飾品を構成する構成部材を設けた、請求項１記載の炭を用いた装飾品。
【発明の詳細な説明】
【０００１】
【発明の属する技術分野】
この発明は、炭を使用した装飾品と、その製造方法に関するものである。
【０００２】
【従来の技術】
炭を用いた装飾品は、果物や野菜、木の実、草の実、菓子等の炭を皿に盛りつけ、或いは花器に載せ、或いは篭等の容器状物に入れて、マイナスイオンや脱臭、又は除湿等の効果を強調し、装飾に供する物がる。
更に、木炭や竹炭にドリル等を用いて孔をあけ、針金等で連設したり結束し、造形物を形成した物が実用に供せられている。
【０００３】
【発明が解決しようとする課題】
上記従来技術によれば、炭を用いた装飾品等の製作に於ける炭、特に花炭と称する、松かさ、木の葉、野菜類、木の実類、草の実類、ドライフラワー等の炭はもろく、このため造形物、特にオブジェの製作途中で炭が破損し、炭の無駄が夥しく出たり、複数の炭等を、最も良い位置や形、角度等、最初の着想道理に組み合わせて、造形物（以下オブジェと言う）を構成することは熟練を要している。
【０００４】
更に、炭のみを用いてオブジェ等が形成されているため、黒一色で美的感覚に乏しかった。
【０００５】
又、皿や花器に炭のオブジェ等をそのまま載置するため、取り扱い時に倒したり、運搬時に誤って破損することが多く、商品として業者から敬遠されがちである。
【０００６】
従って、本発明が解決しようとする課題は、熟練を要せず誰にでも、炭のオブジェ等の装飾品が、最初の発想道理に、且つ、容易に制作でき、制作途中の失敗がなく、素材の無駄による廃棄の量を減らし、取り扱い時も転倒し難く、運搬時誤って破損することもなく、美的感覚を備え、販売業者からも敬遠されない、炭を用いたオブジェを提供することである。
【０００７】
【課題を解決するための手段】
本発明は、炭を用いて構成する装飾品の、該炭、又は造花、又はドライフラワー、又は生花を保持する造形物を、一定の位置や角度又は向きに保持する保持体と、前記保持体に該炭、又は前記造花、又は前記ドライフラワー、又は前記生花を保持する造形物を固着する、固着剤からなり、該炭、又は前記造花、又は前記ドライフラワー、又は前記生花を保持する造形物の一端に、前記固着剤を設けて、前記保持体に挿着し硬化させて固着することである。
【０００８】
又、保持体の面に固着剤を設け、前記固着部材の面に、装飾品を構成する構成部材を設けるものである。
【０００９】
【発明の実施の形態】
炭を用いてオブジェ等の装飾品を構成するに於いて、炭３、或るいは造花、又はドライフラワー、又は生花を保持する造形物等（以下、構成部材４という）を用いてオブジェを形成する保持体１は、もろい炭３等を破損させずに、容易に挿着できる柔軟さで、且つ、時間の経過と共に硬化する物質で、且つ、固着剤２との関係に於いては、固着剤２の硬化と共に保持体１も硬化し、炭３及び構成部材４を保持体１に安定的に保持することが望ましい。
【００１０】
皿や花器その他、オブジェを飾るための、基台８となる物に、柔軟な保持体１を載置し、手指を駆使し任意形状の基部７を形成し、保持体１が柔軟な状態にある間に、オブジェを形成する炭３及び、他の構成部材４の端部に固着剤２を塗布し、炭３及び他の構成部材４を保持体１に挿着する。
この過程で、保持体１に開口部を設ける等の作業を経ることなく、そのまま炭３及び他の構成部材４を保持体１に差し込むため、保持体１に若干の歪みが生じた場合、この歪みを手指等で補正した後、乾燥によって保持体１及び固着剤２を硬化させる。
【００１１】
又、使い古したオブジェ等の廃棄が予想されるため、廃棄に際しての考慮として、保持体１及び固着剤２等は生分解、又は自然環境に還元され、自然環境に対し害を及ぼすことのない素材であることが望ましい。
【００１０】
従って、保持体１は炭３や構成部材４の挿着が容易で、硬化するまでの間、炭３や構成部材４を所定の位置及び角度、形を保持し続けることが望ましく、硬化以後に於いても保持機能は持続し、ひび割れや破損の生じないことが望ましい。
【００１２】
又、基台８となる物に載置した保持体１の面に、固着剤２を塗布して固着剤２の層を形成し、固着剤２の層の面に、花炭や木の葉の炭、炭の粒等から成る構成部材４を載置して硬化させ、保持体１と構成部材４を固着しオブジェを構成し又はオブジェに一部として演出することも可能である。
【実施例】
以下、本発明の実施例について説明すると、図１、炭３及び種々の構成部材４を用いた装飾品を形成するが、例えば炭３は、例えば木炭、又は竹炭等でも良く、木の葉、又は木の実、又は木の小枝、又は竹の枝の炭等もろい炭の他、あらゆる炭を用いることが可能である。
【００１３】
又他に、必要に応じて美的感覚を構成するための構成部材４として造花、又はドライフラワー、又は生花を生のまま保持する保持具（容器又吸水性を有する素材）等を、保持体に挿着することも可能であり、又はその他の造形物等を保持体に挿着することも可能である。
【００１４】
これらの炭３及び構成部材４の一端に、固着剤２を塗布し、又は附着させ、（図２）硬化作用発生前に保持体１に挿着する。
保持体１と固着剤２と炭３の関係を図３によって説明すると、炭３の端部に塗布された固着剤２の方向をそのまま保持体１に挿入すると、保持体１の面によって固着剤２はしごかれながら保持体１内に侵入する。
この時、炭３の表面に固着剤２は薄い層になりまがら、伸ばされて保持体１と炭３の間に介在し、硬化と共に接着する。
【００１５】
従って、保持体１に於いては、柔軟で含有された水分が、時間の経過と共に蒸発し硬化する性質を有し、もろい炭３等を挿着し易く、且つ、着想に基づき挿着した炭３や造形物等の構成部材４の位置や角度、形を保持することができる素材であることが重要である。
【００１６】
従って、本実施例に於いては、保持体１に土粘土、又はコーンスターチ粘土、又は木粘土、又は紙粘土等水性の粘土を用い、固着剤２として水性係接着剤を用てあり、例えば一例を挙げると、酢酸ビニール樹脂に水を加えて構成された固着剤２である。
従って、保持体１に挿着された炭３及び構成部材４は、最初、保持体１の有する適宜な粘性によって、最初の着想に従って形成された角度や、形状、向きを保持しつつ、時間の経過と共に保持体１及び固着剤２が硬化し、保持体１に炭３及び構成部材４が固着されるが、保持体１と固着剤２は共に水分を含有しているため、硬化時間が近似しているばかりでなく、相性が良いため硬化時に於いて、炭３や構成部材４を安定的、且つ、強固に固着保持することできる。
従って、保持体１の硬化によって、炭３その他の造形物又は構成部材４の周胴に固着剤２を介在させて保持体１は安定的、且つ、強固に接着保持し続けることができる。
【００１７】
このため、着想時、思い描いていたオブジェを形成し、且つ、その形状を保持し、取り扱い上も炭３及び構成部材４が脱落して破損したり、形が崩れて商品価値を下げる等の問題が生じるおそれもなく、基部が安定するため耐衝撃性も向上し、運搬時の取り扱いに於いて、炭３を持ったとしても取り落としによる破損はなくなる。
【００１８】
又、粘土を保持体１として用いることにより、硬化までの時間がある程度長く設定できるため、炭３や構成部材４を装着する場合に於いて、思い道理の形態になるまで何度でも挿し変えが可能である。
【００１９】
又、保持体１が含有する水分の量の変化により、誰でも水分を加えながらこねて、柔らかさを簡単に調整できるため、使用する炭３や構成部材４の硬さやもろさに極めて容易に合わせることができる。
従って、もろい性質の炭３や構成部材４を用いても、制作中に誤って破損することもなく、素材の無駄が生じないため制作上極めて経済的で、制作コストを安定させることができる。
【００２０】
又、何度でも差し替えが可能であるから、最初の着想時の形を実現することが容易であるばかりでなく、造花やドライフラワー等を構成部材４として用いることもできるため、美的感覚を加味することもできると共に、初心者にも簡単、且つ、楽しく炭を用いたオブジェの製作ができる。
或いは、構成部材４として（図示しないが）、容器状物を保持体１に挿着し、水分を蓄えて生花をいけることも可能で、更に華やいだ美しさを加味することもできる。
更に、制作にあたって熟練技術を要しないため、内職やアルバイト対応により商品としての製造が可能となり、安価で高品質の炭を用いたオブジェ（装飾品）を提供することができる。
【００２１】
本発明の第２実施例として図４、保持体１の面に固着剤２を塗布して固着剤２の層を形成してもよく、構成部材４を挿着するばかりでなく、種々な構成部材４を保持体１を覆うように設けることも可能で、本発明の第１実施例と併用してオブジェを制作することも可能でありる。
この場合、保持体１が接触する面に、極めて柔らかい固着剤２を介在させることが可能で、木の葉やドライフラワーを炭の如く、極めてもろい炭を原型のまま保持体１の面に保持することや、粒状の物又は天然の苔等を保持することも可能で、第１実施例と同様の効果を得ることができる。
【００２２】
【発明の効果】
従って、本発明によれば、花炭と呼ばれる松かさや、野菜類、木の実類、ドライフラワー等のもろい炭を用いても、製作途中に破損することはなくなり、最も良い形で思い道理のオブジェの製作が極めて容易となり、素材の破損等の無駄を無くし、生花や苔ドライフラワー等の華やかな美しさを加味した、商品としての難点である破損の問題を解決し、高品質の炭を用いた装飾品を安価で提供することができる。
【図面の簡単な説明】
【図１】本発明の第１実施例を示す斜視図である。
【図２】本発明の第１実施例の炭に固着部材を塗布した状態を示す斜視図である。
【図３】本発明の保持体と固着部材と構成部材の関係を示す断面図である。
【図４】本発明の第２実施例を示す断面図である。
【符号の説明】
１  保持体
２  固着剤
３  炭
４  構成部材
７  基部
８  基台となる物
【図１】
2004175088.tif 000003
【図２】
2004175088.tif 000004
【図３】
2004175088.tif 000005
【図４】
2004175088.tif 000006